(57)【特許請求の範囲】
【請求項１】
電子レンジで利用している電磁波を透過する材質の外ナベと、中心部に孔を開けその孔から吹き出た水分を内ナベ内に戻るようにし且つ前記電磁波を透過する材質の外蓋と、前記外ナベ内に収納し前記電磁波を透過させない材質で作り且つ流体を流通させる孔を設けた米炊飯用の内ナベと、前記電磁波を透過させない材質で作り且つ流体を流通させる孔を設けると共に前記電磁波が前記内ナベの口から中に入り込むのを制御するカバーと、からなることを特徴とする電子レンジ用ナベ。
【請求項２】
前記外ナベと前記内ナベとの間に０．１ｍｍ〜２０ｍｍの範囲の隙間を設けてなる請求項１記載の電子レンジ用ナベ。
【請求項３】
前記内ナベ及びカバーの孔はその径が０．１ｍｍ〜２ｍｍの範囲である請求項１記載の電子レンジ用ナベ。
【発明の詳細な説明】
【０００１】
【発明の属する技術分野】
本発明は、電子レンジにて米などを炊く環境を創出すると同時にマイクロ波の特徴を生かし、早く、おいしく炊飯出来る電子レンジ用ナベに関する。
【０００２】
【従来の技術】
電子レンジは、現在日本では各家庭に１００％近く普及している。その使われ方は、食品を短時間で加熱することが出来ることから、既に加熱調理された食品が冷えてしまった場合に食べる前に再加熱したり、飲み物を単に加熱したりする場合に多く使用されている。これは電子レンジの特性を最も良く活用していると言える。すなわち、電子レンジは、電磁波のうち約０．１ｍｍ〜１ｍの波長のマイクロ波（通常波長６ｃｍのものを使用）の性質を利用し、水や食品を加熱するものであり、このマイクロ波は、プラスチック、セラミック、紙などを透過し、金属によって反射されるが、水や食品に当たると水分子を振動させその水分子同士の摩擦により発熱させるからである。なお、この発熱現象に寄与しているのは、水はそれ自体、食品は含有している主に水である。
【０００３】
したがって、電子レンジは、水や食品自体を効率よく発熱させるから、上記以外にレトルト食品の加熱、冷凍食品の解凍、殺菌効果の利用などに重宝される。その一方で、電子レンジは、熱効率が良く短時間調理が可能であるのに係わらず、穀類、野菜、魚介類、鳥獣肉などの食品を煮炊きすることに余り使用されることがなかった。その原因として、特に煮炊き時に米のように水分を吸収させながら加熱調理するような場合、電子レンジの加熱特性から、食品及び水が互いに別々に発熱して行くので、食品への水分の浸透性が悪く、このために食品に対して水の量を著しく多くする必要がある。この結果、調理時間が長くなると共に、その調理容器が著しく大きくなり、沸騰によるアワの成長とそれに伴う吹きこぼれを防止するために、電子レンジの庫内容積に見合わない調理容器が必要となり、事実上米などの食品を煮炊きすることが困難となるからである。
【０００４】
【発明が解決しようとする課題】
しかしながら、電子レンジを取り囲む家庭事情は、大きく変貌し単身者や少人数家族が大半となり、少量調理でしかも調理に時間を費やすことが出来ない状態になって来ている。このような状況から、ガスコンロや電気コンロを利用しての食品の煮炊きは、少量調理に不向きであり、時間もかかり、勢い電子レンジで調理し易いレトルト食品や冷凍食品を多用することになる。しかし、レトルト食品や冷凍食品の利用で全てが賄える訳ではなく、食品を煮炊きしなければならない場面に遭遇する。したがって、電子レンジは、既に調理されたものを単に加熱するだけでなく、熱効率が良く短時間加熱で調理が可能である利点を生かすことが望まれている。
【０００５】
また、電子レンジで食品を加熱調理するには、食品を入れた耐熱容器ごと電子レンジ内に入れる必要があるが、既に調理状況が少量調理が主体となっているから耐熱容器は小さくても良い。したがって、既に普及している電子レンジがそのまま使用でき、その面でも電子レンジを使用して食品を煮炊き出来ることが望ましいと、言える。
【０００６】
そこで、本発明は、上記事情に鑑みてなされたもので、業務用の電子レンジは無論、今やほとんどの家庭で普及している電子レンジを使用して米を煮炊きでき、その食感も良好であり、炊飯時間の短縮の命題もクリアーすることのできる電子レンジ用ナベを提供することを課題とする。
【０００７】
【課題を解決するための手段】
本発明者は、上記課題を達成することが、電子レンジを取り囲む家庭事情の変化に沿い、電子レンジを有効利用して食生活を豊かにすることになるため、鋭意研究を行った。その結果、プラスチック製や陶磁器の外ナベに、小孔を多数開けた金属製の内ナベを入れ、この内ナベに研いだ米を１合ほど入れて更に適量の水を入れ、中心部に孔を開け吹き出た水分を内ナベ内に戻るようにしたプラスチック製の外蓋を外ナベに被せ、１０数分間電子レンジにて加熱すると、通常の電気釜で炊いたのと同じようなご飯が炊けることを見い出し、本発明に到達したものである。
【０００８】
すなわち、請求項１の発明にかかる電子レンジ用ナベは、電子レンジで利用している電磁波を透過する材質の外ナベと、中心部に孔を開けその孔から吹き出た水分を内ナベ内に戻るようにし且つ前記電磁波を透過する材質の外蓋と、前記外ナベ内に収納し前記電磁波を透過させない材質で作り且つ流体を流通させる孔を設けた米炊飯用の内ナベと、前記電磁波を透過させない材質で作り且つ流体を流通させる孔を設けると共に前記電磁波が前記内ナベの口から中に入り込むのを制御するカバーと、からなることを特徴とする。したがって、この特徴によれば、外ナベ内に収納した内ナベに米と適量の水とを入れ、外ナベに外蓋を被せるのに前後して、カバーを設置して電磁波が内ナベの口から中に入り込むのを制御してから、電子レンジにかけると、電磁波は外ナベ及び外蓋を透過し外ナベと内ナベとの間に生じた隙間にある水を発熱させ、内ナベの孔により内部にある水との対流がおき水全体が加熱されて沸騰する。更に電磁波の一部が内ナベ及びカバーの孔を通り、内ナベ内の米の水分及び水自体を発熱させ全体として速やかに加熱される。そして、対流する熱水により、内ナベ内の米は均一に煮炊きされる。一方、米が煮炊きされる過程で発生したアワは、成長して外蓋の孔から外部に出ようとするが、そこまで成長したアワは水化して自重により外蓋の孔から元の内ナベ内に戻る。
【０００９】
また、請求項２の発明にかかる電子レンジ用ナベは、前記外ナベと前記内ナベとの間に０．１ｍｍ〜２０ｍｍの範囲の隙間を設けてなることを特徴とする。したがって、この特徴によれば、上記範囲内の隙間にある水は、外ナベや外蓋を透過した電磁波を受け効率よく発熱し、内ナベ内の水とその孔により流通して水が確実に対流するようになり、内ナベ内にある米はより一層均一に煮炊きされる。
【００１０】
また、請求項３の発明にかかる電子レンジ用ナベは、前記内ナベの孔はその径が０．１ｍｍ〜２ｍｍの範囲であることを特徴とする。したがって、この特徴によれば、米の煮炊きの状況及びその大きさにより内ナベの孔の径が選択されて、上記のような働きをして、内ナベ内の米がより一層均一に煮炊きされる。
【００１１】
【発明の実施の形態】
以下、図面を参照して本発明の実施の形態について詳述する。
図１は本発明の実施の形態を示す電子レンジ用ナベの斜視図、図２は本発明の実施の形態を示す電子レンジ用ナベの断面図、図３は本発明の実施の形態を示す電子レンジ用ナベの１構成要素の内ナベの斜視図、図４は本発明の実施の形態を示す電子レンジ用ナベの１構成要素の内ナベに被せる内蓋の斜視図である。図において、１は電子レンジ用ナベを示し、該電子レンジ用ナベ１は、電子レンジ９で利用している電磁波（電子レンジ内蔵のマグネトロンから出る周波数２４５０ＭＨｚの電磁波である）を透過する材質の外ナベ２と、中心部３に孔４を開け吹き出たアワなどの水分を内ナベ７内に戻るようにし且つ前記電磁波を透過する材質の外蓋５と、前記外ナベ２内に収納し前記電磁波を透過させない材質で作り且つ流体を流通させる孔６を設けた米炊飯用の内ナベ７と、前記電磁波を透過させない材質で作り且つ流体を流通させる孔６を設けると共に前記電磁波が内ナベ７の口７Ａから中に入り込むのを制御するカバー８と、からなるものである。
【００１２】
前記外ナベ２は、その材質が周波数２４５０ＭＨｚの電磁波を透過すること以外特に限定がなく、例示すれば、プラスチック、セラミック、紙などである。しかし、この外ナベ２は、ほとんどの家庭で普及している電子レンジ９（図５参照）にて米を煮炊きするものであるから、電子レンジ９に入れることができる大きさのものであり、更に耐熱性があり上記の電磁波による加熱状態でも変形しづらいものである必要がある。したがって、極端に底の浅い皿状のものや、一輪ざしの花瓶のように極端に径が細く深いものは、効率面や電子レンジ９の容積寸法の制約から不適切であり、更に耐熱性が不十分で変形し易いものも不適切である。
【００１３】
この実施の形態における外ナベ２は、容器本体１０の上部に、鍔１１を取り付け、外蓋５との密着性を良くし、発生したアワにより外蓋５を持ち上がらないようにし、且つ煮炊き後の電子レンジ用ナベ１を電子レンジ９などから出し易いようにしている。更に外ナベ２の底１２の周縁部が高台１３となり、電子レンジ９などの回転皿等の載置面１４との間に空気を介在させた断熱構造としている。外ナベ２の底１２をこのような断熱構造としたのは、底１２に熱が籠もらず対流させ外ナベ２全体に行き渡り、且つ電磁波加熱の特性に沿い加熱し易くなって、煮炊き時間の短縮や突沸による水の吹きこぼれを防ぐことができるようになるからである。なお、この外ナベ２の断熱構造は、底１２と載置面１４との間に空気を介在させることの出来るものであれば、特に限定がなく、支柱により支持したり、別体の支持台を底１２と載置面１４との間に介在させた構造でも良い。また、外ナベ２の材質は、この実施形態ではポリプロピレンであるが、他にポリエステル、ポリエチレンテレフタレート（ＰＥＴ）などでも良く、これらの材質は耐熱性があり電磁波による加熱状態でも変形しづらい特徴がある。
【００１４】
前記外蓋５は、アワが出るのを押さえ外ナベ２の容積を小さくするためのものであり，その中心部３に孔４を開け、電子レンジ９の電磁波による煮炊き時に孔４から吹き出た水分を内ナベ７内に戻るような構造であり、且つその電磁波を透過する材質であれば、特に限定がない。この実施の形態における外蓋５は、外ナベ２の鍔１１に沿う周縁部２０を有し、その周縁部２０から中心部３の孔４に向かってやや凹んでいて、孔４からアワやアワと共に吹き出た水分が再び孔４に向かって流れるようになっている。この外蓋５の材質は外ナベ２と同様に、プラスチック、ガラス、セラミック、紙などが採用出来、この実施形態では外ナベ２と同じポリプロピレンであるが、他にポリエステル、ポリエチレンテレフタレート（ＰＥＴ）などでも良いことは言うまでもない。また、外ナベ２と外蓋５とは同一材質でなければならない理由も特に無く、蓋５だけ例えば耐熱ガラス、セラミックであっても良い。
【００１５】
前記内ナベ７は、外ナベ２内に前記隙間２７を有する状態で収納出来、流体を流通させる孔６を設けた構造であり、且つその電磁波を透過させない材質であれば、特に限定がない。この実施の形態における内ナベ７は、その外観形状が外ナベ２の内側壁面２ａ及び内底面２ｂとの間に隙間２７が出来るようにしている。すなわち、外ナベ２と内ナベ７との隙間２７は０．１ｍｍ〜２０ｍｍの範囲内で任意に決めればよい。例えば、外ナベ２の内側壁面２ａと内ナベ７の外側壁面７ａとの隙間２７は０．１ｍｍで、外ナベ２の内底面２ｂと内ナベ７の外底面７ｂとの隙間２７は２０ｍｍであっても良い。要は外ナベ２と内ナベ７との間に隙間２７があれば良く、その隙間２７は０．１ｍｍ〜２０ｍｍの範囲内であることが望ましくて、この範囲内であれば等間隔にこだわることなくランダムでも良い。そして、この隙間２７に貯まった水が電磁波により発熱し、内ナベ７の孔６により中にある水との対流がおき、水全体が確実に加熱されて沸騰するようになり、内ナベ７内の米はより一層均一に煮炊きされる。すなわち、通常のナベの側壁面及び底面がガスなどにより加熱され、これらに接している水が加熱されて対流がおきるのと同様に、隙間２７にある水が電磁波により加熱され、その結果内ナベ７の側壁面及び底面があたかも通常のナベの側壁面及び底面がガスなどにより加熱されているかのような状態を現出しているのである。また、内ナベ７及びカバー８には孔６が必要であるので、これらの孔６は電磁波を通し電磁波を完全に遮断出来ないから、内ナベ７内の米の水分及び水の発熱に若干寄与する。なお、より好ましい隙間２７の範囲は、１ｍｍ〜１０ｍｍである。また、図５中１５は内ナベ７と外ナベ２との間に隙間２７を保持するためのスペーサである。
【００１６】
そして、内ナベ７の孔６の径は、米が通過することのない０．１ｍｍ〜２ｍｍの範囲である。すなわち、煮炊きする食品の対象物（サイズや煮方）により、内ナベ７の孔６の径は変化することになる。米は水分を吸収されながらゆっくりと炊かれるものであるので、孔６の径は小さい方が良く、０．１ｍｍ〜２ｍｍ程度の範囲となる。また、仮に豆類を煮るような場合には、大量の水で長時間かけて煮るから、孔６の径は２ｍｍ〜６ｍｍ程度の範囲となり、更に強火で短時間で煮るようなものでは、孔６の径は６ｍｍ〜１５ｍｍ程度の範囲となる。したがって、内ナベ７は煮炊きする食品の対象物により、その孔６の径が変化するから、予め上記のような３種類の孔径を有した内ナベ７を用意しておき、それぞれ食品により変えて使用することで、米以外の食品についても良好に煮炊きされ得る。なお、この内ナベ７の材質は電子レンジによる電磁波を通過させないものであれば良く、例示すれば、ステンレス、アルミ、スチールなどが採用出来、この実施形態ではステンレスである。
【００１７】
前記カバー８は、電磁波が内ナベ７の口７Ａから中に入り込むのを制御するためのものであるから、具体的な形状として、内ナベ７に被せるようにした図４の内蓋８ａや、外蓋５の上に置き電磁波が内ナベ７の口７Ａから入りづらくした図５の載置カバー８ｂなどが考えられる。載置カバー８ｂは、電磁波が内ナベ７の口７Ａから中に入り込むのを制御するだけであるが、内蓋８ａは、前記外蓋５と同様にアワが出るのを押さえ内ナベ７の容積を小さくする役目も担う。これらのカバーである内蓋８ａや載置カバー８ｂは、既に述べたように、電磁波を透過させない材質で作り且つ流体を流通させる孔６を設けた構造である。これは、最近の電子レンジは電磁波が上部から照射されるものがあるため、電磁波を透過させない材質の内蓋８ａや載置面カバー８ｂにより電磁波をコントロールしないと、従来と同様に、米及び水が同程度に加熱されるため、米への水の浸透性が悪くなり、水又は煮汁が米に吸収される前に外ナベ２から吹きこぼれ、米が十分に煮炊きされる前に水又は煮汁が無くなり、事実上米を煮炊きすることが出来なくなるからである。なお、内蓋８ａや載置面カバー８ｂの材質は内ナベ７に準じるが、これに限定され無い。この実施形態ではステンレスである。また、内蓋８ａ及び載置カバー８ｂの孔６の径は内ナベ７に準じるが、上記したように米以外に流用する場合でも予め他の孔径を有した内蓋８ａ又は載置カバー８ｂを用意する必要は無く、１種類あれば十分である。
更に、電磁波が斜めや横方向から照射されるタイプの電子レンジでは、カバー８は無くても良い。しかしながら、電子レンジ用ナベ１の汎用性を高めるには、カバー８があった方が良く、電磁波が斜めや横方向から照射されるタイプの電子レンジの場合はカバー８を使用しなければ良いのである。
【００１８】
次に上記構成になる電子レンジ用ナベ１の使用方法について説明する。
まず、煮炊きする米２１に合う径、例えば１ｍｍ径の孔６を有する内ナベ７を選択し、その内ナベ７を外ナベ２に入れて内ナベ７に米２１、例えば１合を入れ更に適量の水２２を入れて、内ナベ７及び外ナベ２に内蓋８ａ及び外蓋５を被せ、又は載置カバー８ｂを使用する場合は、内ナベに載置カバー８ｂを置き、さらに外ナベ２に外蓋５を被せる。それらの状態の電子レンジ用ナベ１を電子レンジ９内に入れて電子レンジ９を密閉する。内ナベ７に入れた米２１の量や電子レンジ９の出力により変わるが、米２１の量が１合、出力５００Ｗであれば、概ね１５分間のタイマーセットを行い、オンして米２１の炊飯を開始する。
【００１９】
電子レンジ９のマグネトロンから発生した周波数２４５０ＭＨｚの電磁波は、外ナベ２及び外蓋５を透過し隙間２７にある水２２を発熱させ、更にその一部が内ナベ７及び内蓋８ａ又は載置カバー８ｂの孔６を通り、内ナベ７内の米２１の水分及び水２２を発熱させる。隙間２７にある水２２の方が電磁波をはるかに多量に浴びるから高温となり、内ナベ７の孔６により中にある水２２との対流がおき水２２全体が加熱されて沸騰する。そして、対流する熱水２２により、内ナベ７内の米２１は均一に炊飯される。一方、米２１が炊飯される過程で米２１のデンプン質が熱水２２に溶出してきて粘性が増しアワが発生して成長し、内蓋８ａの孔６から出、更に外蓋５の孔４からアワが出る（載置カバー８ｂを使用している場合は外蓋５の孔４からアワが直接出る）が、自重によりつぶれて液化し蓋５の孔４から最終的に内ナベ７内に戻り、外ナベ２から吹きこぼれることはない。
【００２０】
以下、本発明の電子レンジ用ナベ１の優位性を実施例により実証する。
〔実施例１〕
図２に示す形状の電子レンジ用ナベ（ポリプロピレン製の外ナベの内径１３０ｍｍ×高さ１３０ｍｍ、ステンレス製の内ナベの内径１１５ｍｍ×高さ１００ｍｍ×厚み０．８ｍｍ×孔径１ｍｍ）に、平成１３年度の新潟産コシヒカリを１５０ｇ、水３６０ｃｃを入れ良くかき混ぜ、その状態のまま３０分間放置（浸漬）した後、５００Ｗの電子レンジの回転皿等の載置面に置き、１５分間電子レンジ内で炊飯する。直ちに電子レンジから電子レンジ用ナベを取り出し、均一になるようにかき混ぜて電子レンジ用ナベから米飯を取り出し、ほぼ１０分の１に分けて小皿に入れ、５人のパネラーに２皿づつ食してもらう。対比のために、平成１３年度産の新潟コシヒカリ１５０ｇを、市販の電気炊飯器による炊き立ての米飯と対比して評価してもらう。評価基準は、実施例１の米飯が電気炊飯器による炊き立ての米飯より良いが◎、略同等であるが○、やや落ちるが□、一応食べられるが△、食べたくないが×とする５段階評価にておこなう。
【００２１】
〔実施例２〕
図２に示す形状の電子レンジ用ナベ（ポリプロピレン製の外ナベの内径１３０ｍｍ×高さ１３０ｍｍ、ステンレス製の内ナベの内径１１５ｍｍ×高さ１００ｍｍ×厚み０．８ｍｍ×孔径４ｍｍ）に、平成１３年度の丹波産黒豆を５０ｇ、水２５０ｃｃを入れてその状態のまま１２時間放置（浸漬）した後、５００Ｗの電子レンジの回転皿等の載置面に置き、１２分間電子レンジ内で煮炊きする。直ちに電子レンジから電子レンジ用ナベを取り出し、均一になるようにかき混ぜて電子レンジ用ナベから煮黒豆を取り出し、ほぼ１０分の１に分けて小皿に入れ、５人のパネラーに２皿づつ食してもらう。対比のために、平成１３年度産の丹波産黒豆を５０ｇ、水２５０ｃｃを通常のアルミナベに入れて、その状態のまま１２時間放置（浸漬）した後、ガスコンロにて３０分間煮て、この通常方法による煮黒豆と対比して評価してもらう。評価基準は、実施例２の黒豆が通常方法による煮黒豆より良いが◎、略同等であるが○、やや落ちるが□、一応食べられるが△、食べたくないが×とする５段階評価にておこなう。
【００２２】
〔比較例１〕
図２に示す形状の電子レンジ用ナベの代わりに外ナベを使用して炊飯すること以外、実施例１と同様の条件で炊飯し、得られた米飯について、実施例１と同様に評価する。
【００２３】
〔比較例２〕
図２に示す形状の電子レンジ用ナベの代わりに外ナベを使用して黒豆を煮ること以外、実施例２と同様の条件で黒豆を煮て、得られた煮黒豆について、実施例２と同様に評価する。以上得られた結果を表１に示す
【００２４】
0003785627.tif 000002
【００２５】
表１によれば、本発明の条件に合う実施例１、２は、いずれも◎乃至○以上の評価であり、電気炊飯器による炊き立ての米飯や従来の煮豆方法と略同等であると言える。これに対して、本発明の条件から外れる比較例１は、いずれも×の評価であり、炊飯出来ていないことを示し、比較例２は、実施例２による煮豆より明らかに劣ると言える。
【００２６】
【発明の効果】
以上詳述したように、請求項１の発明によれば、外ナベ内に収納した内ナベに米と適量の水とを入れ、外ナベに外蓋を被せるのに前後して、カバーを設置して電磁波が内ナベの口から中に入り込むのを制御してから、電子レンジにかけると、電磁波は外ナベ及び外蓋を透過し外ナベと内ナベとの間に生じた隙間にある水を発熱させ、内ナベの孔により内部にある水との対流がおき水全体が加熱されて沸騰する。更に電磁波の一部が内ナベ及びカバーの孔を通り、内ナベ内の米の水分及び水を発熱させ全体として速やかに加熱される。そして、対流する熱水により、内ナベ内の米は均一に煮炊きされる。一方、米が煮炊きされる過程で発生したアワは、成長して外蓋の孔から外部に出ようとするが、そこまで成長したアワは水化して自重により外蓋の孔から元の内ナベ内に戻る。したがって、業務用の電子レンジは無論、今やほとんどの家庭で普及している電子レンジを使用して、米を量の多少を問わず、短時間で容易に煮炊きすることができ、そのために何時でも煮炊きしたての米を食べることが出来、電子レンジを従来よりも多種多様の用途に対応させ得て、しかも調理時間の短縮も可能となり、食生活をより豊かにする効果がある。
【００２７】
請求項２の発明によれば、上記範囲内の隙間にある水は、外ナベや外蓋を透過した電磁波を受け効率よく発熱し、内ナベ内の水とその孔により流通して水が確実に対流するようになり、内ナベ内にある米はより一層均一に煮炊きされる。したがって、上記の効果をより確実にすることが出来る。
【００２８】
請求項３の発明によれば、米の煮炊きの状況及びその大きさにより内ナベの孔の径が選択されて、上記のような働きをして、内ナベ内の米がより一層均一に煮炊きされる。したがって、上記の効果をより確実にすることが出来る。
【図面の簡単な説明】
【図１】本発明の実施の形態を示す電子レンジ用ナベの斜視図。
【図２】本発明の実施の形態を示す電子レンジ用ナベの断面図。
【図３】本発明の実施の形態を示す電子レンジ用ナベの１構成要素の内ナベの斜視図。
【図４】本発明の実施の形態を示す電子レンジ用ナベの１構成要素の内ナベに被せる内蓋の斜視図。
【図５】本発明の実施の形態を示す電子レンジ用ナベの１構成要素の外蓋に置く載置カバーの斜視図。
【図６】本発明の実施の形態を示す電子レンジ用ナベの煮炊き状態の断面図。
【図７】本発明の実施の形態を示す電子レンジ用ナベの煮炊き状態の断面図。
【符号の説明】
１                    電子レンジ用ナベ
２                    外ナベ
２ａ                  内側壁面
２ｂ                  内底面
３                    中心部
４、６                孔
５                    外蓋
７                    内ナベ
７Ａ                  口
７ａ                  外側壁面
７ｂ                  外底面
８                    カバー
８ａ                  内蓋
８ｂ                  載置カバー
９                    電子レンジ
１０                  容器本体
１１                  鍔
１２                  底
１３                  高台
１４                  載置面
１５                  スペーサ
２０                  周縁部
２１米
２２                  水
２７                  隙間
【図１】
0003785627.tif 000003
【図２】
0003785627.tif 000004
【図３】
0003785627.tif 000005
【図４】
0003785627.tif 000006
【図５】
0003785627.tif 000007
【図６】
0003785627.tif 000008
【図７】
0003785627.tif 000009